(57)【特許請求の範囲】
【請求項１】
時分割セルラー・ネットワークの基地局を移動局において識別する方法であって、
隣接基地局についてのフレーム・タイミング差データがサービスをする基地局から移動局に送られ（３０１；５０１）、
該隣接基地局のシステム・データのための受信時間が該移動局において前記フレーム・タイミング差に基づいて決定され（３０２；５０２）、
前記決定された受信時間に基づいてシステム・データが読み取られて隣接基地局が識別され（３０３；５０３）、新しい基地局のシステム・データ中に識別コードが出現する時間窓が該フレーム・タイミング差に基づいて該移動局において決定され、前記識別コードが前記時間窓で読み取られる（３０２）ことを特徴とする方法。
【請求項２】
該サービスをする基地局は隣接局リスト上の基地局とのフレーム・タイミング差のリストを維持する（２０１，２０２）ことを特徴とする請求項１に記載の方法。
【請求項３】
該フレーム・タイミング差データは、低速関連制御チャネルＳＡＣＣＨで移動局に送られる（３０１）ことを特徴とする請求項１又は２に記載の方法。
【請求項４】
該フレーム・タイミング差データは、放送制御チャネルＢＣＣＨ又は共通制御チャネルＣＣＣＨで移動局に送られることを特徴とする請求項１又は２に記載の方法。
【請求項５】
アイドル状態の移動局において該フレーム・タイミング差データが放送制御チャネルＢＣＣＨ又は共通制御チャネルＣＣＣＨから読み取られて、隣接基地局のシステム・データのための読み取り時間を決定するために使われることを特徴とする請求項１から４のいずれかに記載の方法。
【請求項６】
時分割セルラー・ネットワークの基地局を識別するための手段を含む制御ユニット（６０２）を備える移動局（９００）であって、前記識別するための手段は：
一つの基地局から来る隣接基地局についてのフレーム・タイミング差リスト（６０３）を識別し、読み取り、蓄積するための手段と；
前記フレーム・タイミング差に基づいて隣接基地局のシステム・データのための受信時間（６０４）を決定するための手段と；
前記決定された受信時間に基づいて、システム・データを読み取って隣接基地局を識別するための手段と；
前記フレーム・タイミング差に基づいて、新しい基地局のシステム・データ中に識別コードが出現する時間窓を決定するための手段と；
前記時間窓（３０３）内で前記識別コードを読み取るための手段と、を備えていることを特徴とする移動局。
【発明の詳細な説明】
本発明は、請求項１の序言で定義されている、移動局において時分割セルラー・ネットワークの基地局を識別する方法に関する。
本発明は、請求項６の序言に記載の移動局にも関する。
基地局識別に関して、ＧＳＭセルラー・ネットワークは現状では次のように動作する。ＧＳＭネットワークにおける各セルについて隣接局リストが定められ、それは、移動局が次に行くことのできる基地局の放送制御チャネル（ＢＣＣＨ）の周波数を含んでいる。移動局は、基地局放送制御チャネルＢＣＣＨによって決定される周波数での場の強さを測定し、それらの各々を平均し、その結果に基づいて、６個の最強の隣接基地局のリストを編集する。その６個の最強の隣接局の識別コードを復号化しようとする試みがなされ、その識別コードが復号化された基地局のレベル及び識別コードがネットワークに伝えられる。ネットワークは、その情報を使ってハンドオーバー決定を行う。
セルラー・ネットワークでは、周波数は再利用される、即ち、各々の特定の周波数が同時に数個のセルで使用される。従って、場の強さを測定するとき、移動局は、測定された基地局により同期化チャネル（ＳＣＨ）で送信された基地局識別コード（ＢＳＩＣ）を定期的に読む。同じ放送制御チャネルＢＣＣＨ周波数を使用する基地局は、異なるＢＳＩＣを有する。ＢＳＩＣが見つかったとき、それは、問題の基地局が隣接基地局であるのか或いはもっと遠くから送信している他の基地局であるのかを移動局に教える。これが、ＢＳＩＣが読まれる理由である。もし一定期間内にＢＳＩＣを再確認できないか、或いは正しくないＢＳＩＣが検出されたならば、問題の周波数に関連する現在の場の強さの測定値は廃棄される。
ＢＳＩＣの読み取りのために移動局のトラフィックチャネル（ＴＣＨ）マルチフレームに時分割多元接続（ＴＤＭＡ）フレームより少し長い１つの時限（いわゆるアイドルフレーム）が留保される。このフレームの間、基地局から来たデータから１つのＴＤＭＡフレームを読み出すことができる。ＢＳＩＣは、基地局のＢＣＣＨ／ＣＣＣＨマルチフレームにおいて１０個又は１１個のＴＤＭＡフレーム毎に現れる（ＣＣＣＨ＝共通制御チャネル）。ＢＣＣＨ／ＣＣＣＨマルチフレームは５１個のＴＤＭＡフレームから成る。一方、アイドル・フレームは、２６個のＴＤＭＡフレーム毎に反復される。従って、アイドル・フレームは、ＢＣＣＨ／ＣＣＣＨマルチフレーム上で１つのＢＣＣＨ／ＣＣＣＨマルチフレーム・サイクルあたりに１つのＴＤＭＡフレームだけ「スリップ」する。一定のＢＣＣＨ周波数に関連するＢＳＩＣを待ち受けているとき、始めにＢＣＣＨ／ＣＣＣＨマルチフレームの周波数訂正チャネル（ＦＣＣＨ）フレーム中のＦＣＣＨバーストが読み出され、その後、次のＳＣＨフレーム中のＢＳＩＣが読み出される。最良の場合には、ＦＣＣＨフレームは直ぐにアイドル・フレームと一致し、最悪の場合には、１１個のアイドル・フレームの後にはじめて一致する。従って、ＢＳＩＣは２〜１３ＴＣＨマルチフレームの間に、平均では約７マルチフレーム後に、即ち約０．８秒後に、検出される。
上記の動作に伴う問題は、新しい基地局を識別するために、特にＢＳＩＣを発見するために要する時間が割合に長いことである。従って、特に、セルの小さいネットワークでは高速で移動している移動局が隣接基地局を監視し続けることができないことがある、即ち、時にはハンドオーバーに失敗することがある。ハンドオーバー後には常に新しい基地局（周波数）が移動局の隣接局リスト上に現れ、１つのセル内を動き回っているときでも６個の最強の隣接局が非常に頻繁に修正されることがある。更に、セルのトラフィックチャネルはしばしば６個の最強隣接局のリストに関して聞かれ、また、ＢＣＣＨマルチフレームからは信号がトラフィックチャネルからのものか、それとも隣接局からのものかは移動局には分からないので、その特定の周波数のＦＣＣＨフレームを捜し出すために使われるアイドル・フレームは無駄にされる。新しい基地局の識別が遅い原因は、使用される読み取り処理手順と、基地局同士が互いに同期していないという事実とである。
移動局は、６個の最強基地局の識別コードをなるべく早く知ろうとし、同時に、既に識別されている基地局の周波数の識別コードは定期的に再確認されなければならない。さもなければノイズ周波数が場の強さの数字にエラーを生じさせることがあるので、再チェックが必要である。既に検出されているＢＳＩＣをその間に読み直すことのできるアイドル・フレームを移動局は知っているので、旧ＢＳＩＣの読み取りには大した時間はかからない。問題は、大半の時間、即ち利用できるアイドル・フレーム、が新しい基地局のＢＳＩＣを捜し出すために使われることである。
本発明の目的は、移動局において時分割セルラー・ネットワークの基地局を識別する新しい方法を提供し、上記の欠点を無くすることである。
本発明の第１の方法は、請求項１に述べられているものを特徴としている。本発明による移動局は、請求項６に記載されているものを特徴とする。本発明の好ましい実施態様が従属請求項に記載されている。
時分割セルラー・ネットワークの基地局を識別する本発明の第１の方法では、複数の隣接基地局のフレーム・タイミング差に関するデータがサービスをする基地局から移動局に転送され、該移動局において、前記フレーム・タイミング差に基づいて複数の隣接基地局についてのシステム・データ受信時間が決定され、システム・データが読み取られて隣接基地局が識別される。
本発明の第１の方法では、サービスをするセル、即ち基地局は、隣接局リスト上の複数の基地局のフレーム・タイミング差を移動局に伝える。フレーム・タイミング差は、例えば疑似同期ハンドオーバーについて計算されている。その計算は、移動局により測定され報告された基地局間タイミング差を根拠とすることができる。フレーム・タイミング差データはアクティブ状態において好ましくは低速関連制御チャネルＳＡＣＣＨ又は高速関連制御チャネルＦＡＣＣＨなどの適当な制御チャネルで伝えられ、対応的に、それらのデータはアイドル状態においては好ましくは放送制御チャネルＢＣＣＨ又は共通制御チャネルＣＣＣＨで伝えられる。フレーム・タイミング差データを他の適当な方法で伝えることもできる。移動局は、フレーム・タイミング差データを受け取り、それを使って該基地局のシステム・データについての受信時間を計算する。このことは、隣接局リスト上の基地局の各々により送信されたＢＳＩＣと整列するアイドル・フレームが発生する時間を好ましく決定することを意味する。それらのアイドル・フレームは、ＢＳＩＣを読み取るために使われる。従って、この時、アイドル・フレームの容量の最大量を消費する周波数訂正チャネルＦＣＣＨを捜し出す動作を移動局は行わない。
本発明は、隣接局リスト上の新しい周波数に対応する複数の基地局のシステム・データ、好ましくは識別コード、を比較的に速く読み取ることができるという利点を有する。
更に、新しい基地局のタイミング／同期データ、即ちＦＣＣＨフレーム、を探すときに無駄にされるアイドル・フレームが無いので、リスト上の旧基地局の識別コードを検査するためにより多くの時間が残るという利点も本発明は有する。
更に、本発明は、移動局がアイドル状態であるときに、そのエネルギー消費が現在のそれより減少するという利点を有する。このことは、フレーム・タイミング差が分かっているときには、隣接セルのシステム・データを監視するのに消費される時間が比較的に少なくて、従って移動局のアクティブ時間がより短くなるという事実に基づいている。
時分割セルラー・ネットワークの基地局を識別する本発明の第２の方法では、複数の隣接基地局により使用される放送制御チャネルタイムスロットに関するデータがサービスをする基地局から移動局へ転送され、移動局において、前記放送制御チャネル・データに基づいて複数の隣接基地局についてのシステム・データ受信時間が決定され、システム・データが読み取られて一つの隣接基地局が識別される。
本発明の第２の方法は、放送制御チャネルＢＣＣＨ搬送波の不連続送信方式を使用するセルラー・ネットワークで使用される。この方法の基本的アイデアは、その間に特定の隣接セルの放送制御チャネルＢＣＣＨの送信が実行されると共に該隣接セルの監視及び測定を行うことのできるタイムスロットを移動局が知るべきであるということである。
現在のＧＳＭシステムでは、各基地局の放送制御チャネルＢＣＣＨ搬送波は連続的に送信される。これは、移動局をネットワークと同期化することを容易にすると共に隣接基地局の場の強さの測定を容易にする。一方、連続的に送信される放送制御チャネルＢＣＣＨには、この搬送波ではトラフィックチャネルが不連続送信ＤＴＸと電力制御とを採用できないという欠点がある。更に、たとえ放送制御チャネルＢＣＣＨでのトラフィックが全く無くても、いわゆるダミーバーストを送信しなければならないということに注意するべきである。その結果として、ネットワークにおけるノイズレベルが大きくなるに従って容量が減少することになる。放送制御チャネルＢＣＣＨ搬送波でのトラフィックチャネルの数がＧＳＭシステムのより相当大きくなる可能性のある（例えば６４）一般移動通信システムＵＭＴＳなどの将来の移動電話システムでは、この問題はＧＳＭシステムの場合より大きな問題となろう。
不連続放送制御チャネルＢＣＣＨ搬送波を使用するセルラー・ネットワークでは、サービスをするセルを探す動作と複数の隣接基地局を監視する動作の信頼性とは劣化することになろう。その理由は、測定を行えるのは搬送波が送信されていないときなので、搬送波の不連続性は場の強さの測定に顕著なエラーを生じさせる結果をもたらすことにある。この問題を緩和する１つの方法は、測定結果の平均を取る期間を長くすることである。しかし、そうすると、特に該搬送波でのトラフィックが僅かであるときに、サービスをするセルを探す動作、即ち前同期化、並びに隣接基地局を監視する動作の速度が低下する結果となる。しかし、上記の問題を、本発明の第２の方法を用いることによって、解決することができる。
移動局が複数の隣接基地局に関するデータと、一つの隣接基地局のＢＣＣＨ搬送波送信がアクティブとなるタイムスロットに関する情報とをサービスをする基地局から放送制御チャネルＢＣＣＨで受信すると、該移動局はその隣接基地局の監視と測定とを実行することができる。本発明の好ましい実施態様では、サービスをする基地局から送信されるデータは、複数の隣接基地局のフレーム・タイミング差に関する情報を含む。
本発明の好ましい実施例では、システム・データの読み取り及び複数の隣接基地局の識別は、場の強さの測定を含む。非同期的に、即ち測定されるタイムスロットが基準電力であるか否か知らないままに、場の強さを測定しなければならないときには、本発明に従って、一定の送信電力、即ち基準電力で最小数のタイムスロットを搬送波に載せることによって測定の信頼性を改善するのが有利である。その様なタイムスロットが多いほど、測定情報の信頼性が向上する。
複数の隣接基地局の監視において、もし放送制御チャネルＢＣＣＨ搬送波の搬送波基準電力タイムスロットの場所が分かるならば、場の強さの測定値（ＲＳＳＩ）の信頼性が向上する。基準電力タイムスロットの場所と、他の隣接基地局に関してのフレーム・タイミング差とがサービスをする基地局の放送制御チャネルＢＣＣＨを介して伝えられるのが有利である。更に、例えば時間又は周波数ホッピングの故に、隣接基地局が使用する放送制御チャネル・タイムスロットの場所がホッピングするならば、情報は他の基地局のホッピング・シーケンスでも伝えられることになる。
次に本発明をいっそう詳しく説明する。その説明では添付図面を参照する。添付図面において：
図１ａ及び１ｂは、従来技術による新しい基地局の識別コードの探索を図解しており、図１ａは与えられた初期状況を示し、図１ｂは６個のＴＣＨフレーム後の状況を示しており；
図２は、第１の方法による基地局フレーム・タイミング差データの収集、更新及び移動局への送信を示すブロック図であり；
図３は、第１の方法による隣接基地局のシステム・データ、特に識別コード、の移動局における受信をブロック図の形で示しており；
図４は、新しい隣接基地局の識別コードの読みとりを図解しており；
図５は、アイドル状態の移動局における隣接基地局のシステム・データ、特に識別コード、の受信をブロック図の形で示しており；
図６は、本発明の第１移動局のブロック図であり；
図７は、第２の方法による基地局放送制御チャネル・タイムスロット・データの収集、更新及び移動局への送信を示すブロック図であり；
図８は、第２の方法による隣接基地局のシステム・データの移動局における受信をブロック図の形で示しており；
図９は、本発明の第２の移動局のブロック図である。
図１ａ及び１ｂは、一つの新基地局の識別コードを捜し出す現在公知の方法を示している。最初の状況では、一つの基地局は隣接局リストを移動局に送る。移動局は、そのリストに載っている全ての周波数を測定して、その中から例えば６個の最強のものを見つけだす。もし隣接局リストがその６個の最強周波数の中に新しい周波数を含んでいる場合に、移動局は、基地局識別プロセスにおいてその特定周波数になったならば、直ぐに、関連するＢＳＩＣ識別コードを探し始める。トラフィックチャネルＴＣＨのマルチフレーム１０１の中の、この目的のために専用されるＴＤＭＡフレーム、即ちアイドル・フレーム、がその捜索のために使われる。一つのアイドル・フレームの間に、問題の周波数を使って基地局から送信されたＢＣＣＨ／ＣＣＣＨマルチフレーム１０２の中の一つのＴＤＭＡフレームをチェックすることが可能である。基地局同士は同期化されないので、移動局のアイドル・フレームは基地局のＢＣＣＨ／ＣＣＣＨマルチフレームのどれかの部分とも一致する可能性がある。図１ａは、アイドル・フレームは、最初は、もし該フレームがＳＣＨフレームであるならば同期化バーストが置かれているタイムスロットに関してＣＣＣＨ型のＴＤＭＡフレーム（破線を参照）と一致する、としている。ＴＣＨマルチフレームは２６個のＴＤＭＡフレームと同等であり、ＢＣＣＨ／ＣＣＣＨマルチフレームは５１個のＴＤＭＡフレームと同等である。２×２６＝５２であるので、図１ｂに示されているように、アイドル・フレームは、２ＴＣＨマルチフレーム後にＣＣＣＨフレーム１０４と一致し、４ＴＣＨマルチフレーム後にＦＣＣＨフレーム１０５と一致し、６ＴＣＨマルチフレーム後にＳＣＨフレーム１０６と同時に生じる。２ＴＣＨマルチフレーム前に、移動局は、その時に一致したＦＣＣＨフレームから、ＳＣＨフレームの場所を示す周波数訂正バーストを読み取ってある。もちろん、ＦＣＣＨフレームを探す動作は、一つおきのアイドル・フレームだけではなくて、全てのアイドル・フレームで実行される。図１ａ及び１ｂの指名子ａ、ｃ、ｆ及びｓの意味は次の通りである：ａ＝低速関連制御チャネルＳＡＣＣＨ、ｃ＝共通制御チャネルＣＣＣＨ、ｆ＝周波数訂正チャネルＦＣＣＨ、ｓ＝同期化チャネルＳＣＨ。
ＳＣＨフレームは、ＢＣＣＨ／ＣＣＣＨマルチフレームにおいて１１ＴＤＭＡフレーム毎に１つずつ或いは１０ＴＤＭＡフレーム置きに置かれている。ＢＳＩＣが見つかると、移動局は、捜索無しでそれを再び読むことのできる時を知る。
移動局は、音声信号バーストの送信及び受信の間の任意のトラフィックフレームの間に基地局の場の強さを測定することができる。
本発明の方法は、複数の隣接基地局のフレーム・タイミング差を決定することを必要とする。疑似同期ハンドオーバーを支援するセルラー・ネットワークでは、フレーム・タイミング差は、必要以上の精度でも、いずれの場合にも計算される。フレーム・タイミング差の計算は、問題の地域で動作している全ての移動局によって、下記の式で実行される：
（１）  ＯＴＤ＝ＲＴＤ＋ｔｂ・ｔａ
ここで  ＲＴＤ＝基地局ａ及びｂ間のフレーム・タイミング差
ＯＴＤ＝移動局によって測定された基地局ａ及びｂ間のフレーム・タイミング差
ｔａ＝基地局ａと移動局との間での伝搬時間
ｔｂ＝基地局ｂと移動局との間での伝搬時間
フレーム・タイミング差の計算は、例えば、ＥＴＳＩ（欧州電気通信規格協会）によるＧＳＭ５．１０勧告及び米国特許第５，１２８，９２５号で、より詳しく論じられている。
図２の流れ図は、サービスをする基地局の機能に関する本発明の第１の方法を示している。その基地局のために隣接局リストが編集される２０１。前記隣接局リストは、該基地局の複数の地理的隣接基地局についての送信周波数及びその他の情報を含んでいる。隣接局リストに含まれている複数の基地局のフレーム・タイミング差ＲＴＤが判定され２０２，それは複数の隣接基地局についてのフレーム・タイミング差ファイル即ちリストを作成する２０３ために使われる。移動局が或るセルの区域からサービスをするセル、即ち基地局の区域へ移動する２０４とき、それは、それ自体としては公知の方法で発見され、サービスをするセルのフレーム・タイミング差リストが該移動局に送られる２０５。隣接局リスト及び同時にフレーム・タイミング差リストは、６個の基地局或いはもっと多数（現在では最高で３２個）を包含することができる。
実際には、フレーム・タイミング差リストの送信は１回だけ、即ち移動局が新セルの区域の中に入った直後に、行われる。フレーム・タイミング差データは移動局が特定のセル内にとどまっている間は一般に変化しないでいる。セル内で長電話をしていると、フレーム・タイミング差リストのデータが変化する可能性はある。その時、少なくとも未だ識別されていない新セルの部分については、フレーム・タイミング差データが送り直される。
ＢＳＩＣを読むのに充分に精密な例えば１００μｓの精度でフレーム・タイミング差データが与えられたならば、チャネル符号化の前にフレーム・タイミング差を１１ビットを使って表示し、６個のフレーム・タイミング差データを６６ビットを使って表示することができる。低速関連制御チャネルＳＡＣＣＨの容量は５４２ビットである。ＳＡＣＣＨはダウンリンク方向（サービスをする基地局から移動局へ）では殆ど使われないので、これはフレーム・タイミング差データの送信に非常に適している。
フレーム・タイミング差データの精度は１００μｓより低くても高くても良いことに留意するべきである。それは、タイミング差の伝達に必要なビット数と、移動電話が得る利益との折衷である。精度が高ければ移動電話のより大きなアイドル・フレームが必要となり、それはシンセサイザーのより大きな速度を必要とする結果をもたらし、或いは、移動電話が与えられたタイミング情報に基づいて１アイドル・フレームではなくて２アイドル・フレームの領域でＢＳＩＣを探さなければならなくなる。
図３の流れ図は、移動局の機能に関する本発明の第１の方法を示している。移動局は、そのＲＦ受信装置と適当な処理装置とを介してステップ３０１でフレーム・タイミング差リストをサービスをする基地局から受け取る。そのフレーム・タイミング差データに基づいて、移動局は、ステップ３０２で、例えば、各隣接基地局のシステム・データを受け取ることのできる時間窓を、その制御ユニットにおいて決定する。それは次に式（１）で有利に使用され、これに従って、移動局と基地局とのフレーム・タイミング差が決定され、更に、この実施態様では、隣接局リストの各基地局から送られたＢＳＩＣを読み取ることのできる時間窓が決定される。この時、普通は移動局において、各基地局から送られたＢＳＩＣと同時に生じるのはどのアイドル・フレームであるかが計算される。それらのデータに基づいて、移動局はステップ３０３で基地局のＢＳＩＣ及び／又はあり得る他のシステム・データを読み取る。
図４は、新しい基地局の識別データ、特にＢＳＩＣ、を読み取る時点をアイドル・フレームに関して確定するプロセスを示している。移動局が新しいサービスをする基地局の区域の中に入っていて、その基地局が該移動局に新しい隣接局リストとフレーム・タイミング差リストとを送信したと仮定しよう。この例では、フレーム・タイミング差リストには４つの新しい基地局４０１，４０２，４０３，４０４がある。フレーム・タイミング差リストに基づいて、移動局は、基準として選択された、自分自身のＴＣＨマルチフレーム４００のタイミング差と新しい隣接基地局４０１，４０２，４０３，４０４のＴＣＨ／ＣＣＣＨマルチフレームのそれとを計算する。それらのタイミング差の値を次のように仮定しよう：
Δｔ１＝−１９．９ｍｓ
Δｔ２＝＋９６．３ｍｓ
Δｔ３＝−７４．５ｍｓ
Δｔ４＝＋２７．１ｍｓ
上の表の負の値は、問題の基地局４０３から受信されたＴＣＨ／ＣＣＣＨマルチフレームが、基準のために使用されたＴＣＨマルチフレーム４００より前に始まったことを意味する。ＴＤＭＡフレームの持続時間は４．６１５ｍｓであるので、アイドル・フレームを賢明に使用するために、下記の表を得る：
0004246270.tif 000002
アイドル・フレームの番号は、（周波数訂正バーストＦＣ又は）ＢＳＩＣとの整列を初めて達成するために使用されなければならない、時点ｔ＝０から教えられたアイドル・フレームの番号を示す。
基地局４０１及び４０４の第１バーストとＢＳＩＣとは同じアイドル・フレームに偶然に一致しており、従って、次の正しいアイドル・フレームは、それらのうちの一方（この場合には基地局４０４）について計算される。この表に従ってアイドル・フレームを使用するとき、アイドル・フレームの容量は全く無駄にならない；残りのアイドル・フレームを旧基地局のＢＳＩＣチェックのために利用することができる。本発明によるＢＳＩＣ復号化では普通はＦＣＣＨ（即ち、ＦＣ）バーストを受信する必要は全くないことを強調しておく。
移動局がアイドル状態であるときに本発明の第１の方法を使用することもできる。図５の略図は、その様な移動局の動作を示している。サービスをする基地局は、周囲の基地局のフレーム構造を伴うフレーム・タイミング差の概括的リストを（も）作成する５０１。このフレーム・タイミング差リストは、通常は、知られている限りの全ての隣接基地局のタイミング差データを含む。この広範なフレーム・タイミング差リストは、当該区域内の全ての移動局によって読み取られ得るように、放送制御チャネルＢＣＣＨ又は共通制御チャネルＣＣＣＨで送信される５０２。アイドル状態の移動局は、該リストを読み取って、システム・データをいろいろな基地局から読み取ることのできる時期を計算する５０３。そのとき、移動局は、各基地局について別々に連続するフレームを読み取ってＦＣＣＨチャネルが現れるのを待つ必要はない。測定の結果は：エネルギー消費減少。
図６は、本発明の第１の移動局を示している。これは、本発明によるフレーム・タイミング差リストの受信及び処理に関わるＧＳＭ移動局６００ユニットをブロック図の形で示している。基地局から送信された無線周波数信号は、ＲＦ受信装置６０１によって受信され、そこでＡ／Ｄ変換される。ディジタル信号は復調器に送られてインターリーブ解除され、音声情報等はイヤホン（図６には示されていない）で音響に変換される。これらの機能は、基地局から来る移動局制御情報を処理する制御ユニット６０２によって制御される。本発明に起因する変更は制御ユニット６０２を対象としている。それは、本発明に従って、基地局からの隣接基地局のフレーム・タイミング差リストを識別し、読み取り、蓄積するための手段６０３と、隣接基地局のシステム・データのための受信時間、即ち時間窓、を該フレーム・タイミング差に基づいて決定するための手段６０４とを含む。該手段６０２及び６０３は、制御ユニット６０２内のソフトウェア・ユニットであることが有利である。この様にして作成された受信時間情報は、移動局において隣接基地局のシステム・データを受信し、読み取るために使われる。
時分割セルラー・ネットワークの基地局を識別する本発明の第２の方法は、放送制御チャネルＢＣＣＨの不連続送信又はＢＣＣＨ搬送波の送信を採用するセルラー・ネットワークに応用される。
図７の流れ図７００は、サービスをする基地局の機能に関する本発明の第２の方法を示している。その基地局のために隣接局リストが作成される７０１。この隣接局リストは、問題の基地局の地理的隣接基地局の送信周波数及びその他のデータを含む。更に、隣接基地局の放送制御チャネルＢＣＣＨタイムスロットが決定される７０２、即ち、各隣接基地局について送信がどのタイムスロットで実行されるかが決定される。移動局が或るセルの区域からサービスをするセルの区域に移動７０３すると、そのことは、それ自体としては公知の態様で発見され、サービスをする基地局の隣接局リストに載っている基地局のＢＣＣＨタイムスロット・データが移動局に送られる７０４。該隣接局リストは、前述したように例えば６個の基地局を含む。
上記の方法を、図表７０５で示されている機能で補足することができる。隣接局リスト上の基地局のフレーム・タイミング差ＲＴＤが決定され７０６、それらが隣接基地局フレーム・タイミング差ファイル、又はリスト、を作成するために使われる、７０７。移動局が与えられたセルの区域からサービスをするセル、或いは基地局、の区域へ移動７０３すると、サービスをする基地局のフレーム・タイミング差リストが該移動局に送られる７０８。このフレーム・タイミング差リストは、第１の方法と関連して前述したように処理される。
図８の流れ図は、移動局の機能に関する本発明の第２の方法を示している。移動局は、そのＲＦ受信装置及び適当な処理ユニットを介して、ステップ８０１で、サービスをする基地局から隣接局リスト上の基地局の放送制御チャネルのタイムスロット・データを受け取る。このデータに基づいて、移動局は、ステップ８０２で、その制御ユニットにおいて、例えば各隣接基地局のシステム・データを受け取ることのできる時間窓を決定する。そのデータに基づいて、移動局はステップ８０３で該基地局のＢＳＩＣ及び／又はその他のあり得るシステム・データを読み取る。
移動局の機能を、図８において破線で示されている動作で補足することができる。付加的ステップ８０４で、移動局はサービスをする基地局からそのＲＦ受信装置及び適当な処理ユニットを介してフレーム・タイミング差リストを受け取る。そのフレーム・タイミング差データと放送制御チャネル・タイムスロット・データとに基づいて移動局はステップ８０２で、その制御ユニットにおいて、例えば各隣接基地局のシステム・データを受け取ることのできる時間窓を決定する。それらのデータに基づいて、移動局はステップ８０３で該基地局のＢＳＩＣ及び／又はその他のあり得るシステム・データを読み取る。好ましい実施例では、それらのシステム・データは隣接基地局の場の強さの測定値も含む。
図９は、本発明に従って隣接基地局により使用されるＢＣＣＨタイムスロット・データの受信及び処理に関わる本発明の第２の移動局９００のユニットをブロック図の形で示している。基地局から送信される無線周波数信号はＲＦ受信装置９０１によって受信され、そこでＡ／Ｄ変換される。該ディジタル信号は復調器に送られてインターリーブ解除され、音声情報等はイヤホン（図９には示されていない）で音響に変換される。それらの機能は、基地局から来る移動局制御情報を処理する制御ユニット９０２によって制御される。本発明に起因する変更は制御ユニット９０２を対象としている。それは、本発明に従って、基地局から来る隣接基地局のＢＣＣＨタイムスロット・データを識別し、読み取り、蓄積するための手段９０３と、隣接基地局のシステム・データのための受信時間、即ち時間窓、を前記ＢＣＣＨタイムスロット・データに基づいて決定するための手段９０４とを含む。該手段９０２及び９０３は、有利なことに、制御ユニット９０２内のソフトウェア・ユニットである。この様にして作成された受信時間データは、移動局において、前述した第１の方法を採用する移動局の場合とほぼ同様に隣接基地局のシステム・データを受け取り、読み取るために使われる。
図９は、移動局９００の付加的ユニットを破線で示している。それらを使って、図８において破線で示されている付加的機能で移動局９００の機能を補足することができる。制御ユニット９０２は、基地局から来る隣接基地局フレーム・タイミング差リストを識別し、読み取り、蓄積するための手段９０５と、隣接基地局のシステム・データのための受信時間を該フレーム・タイミング差とＢＣＣＨタイムスロット・データとに基づいて決定するための手段９０４とを含む。
以上、主として１つの好ましい実施例を参照して本発明の方法及び移動局を説明したけれども、以下に記載する請求項の範囲内で本発明を多様に修正し得ることは明らかである。
【図１ａ】
0004246270.tif 000003
【図１ｂ】
0004246270.tif 000004
【図２】
0004246270.tif 000005
【図３】
0004246270.tif 000006
【図４】
0004246270.tif 000007
【図５】
0004246270.tif 000008
【図６】
0004246270.tif 000009
【図７】
0004246270.tif 000010
【図８】
0004246270.tif 000011
【図９】
0004246270.tif 000012